(57)【要約】【課題】番組送出システムにおいて、番組サーバに記録された番組素材を送出時に、送出順序が隣接する番組素材の信号レベルに応じて、自動的にその番組素材の送出信号レベルを調節可能できるようにする。【解決手段】番組素材を再生する再生装置と、再生装置により再生された番組素材の映像信号や音声信号を記録する番組サーバと、番組サーバから出力される映像信号や音声信号の信号レベルを調整する送出レベル調整装置と、再生装置で再生された映像信号や音声信号の信号レベル値を番組サーバに記録された番組素材に対応付けながら記録すると共に送出レベル調整装置を制御する制御信号を出力するレベル制御装置とを有し、その送出レベル調整装置は、出力される番組素材とそれに隣接する番組素材のレベル値とを参照して、その番組素材の信号レベルを調節する。【選択図】  図１
2004297159.tif 000002
【特許請求の範囲】
【請求項１】
番組素材を再生する再生装置と、前記再生装置により再生された番組素材の映像信号や音声信号を記録する番組サーバと、前記番組サーバから出力される映像信号や音声信号の信号レベルを調整する送出レベル調整装置と、前記再生装置で再生された映像信号や音声信号の信号レベル値を前記番組サーバに記録された番組素材に対応付けながら記録すると共に前記送出レベル調整装置を制御する制御信号を出力するレベル制御装置とを有し、
前記送出レベル調整装置は、前記制御信号に応じて、前記登録サーバから出力される番組素材に対応して前記記録されたレベル値と、その番組素材に送出順序が隣接する他の番組素材のレベル値とを参照して、前記出力される番組素材の信号レベルを調節することを特徴とする番組送出システム。
【発明の詳細な説明】
【０００１】
【発明の属する技術分野】
本発明は、映像信号や音声信号を有する番組素材を蓄積し送出する、番組送出システムに係わり、特に、音声信号の送出レベルの調整方法の改良に関するものである。
【０００２】
【従来の技術】
従来、番組素材を登録サーバに記録し、その記録された番組素材を登録サーバから再生し出力する場合、その出力される番組素材の音声信号のレベル調整は、その送出前の番組素材を収録（記録）するときに調整され、そのレベル調整された音声信号が番組素材の音声信号として収録される。
【０００３】
ここで、図２を用いて、従来の技術による番組素材を登録送出する番組送出システムについて説明する。
【０００４】
この図において、１は番組素材が記録された媒体、例えば、ＶＴＲテープである。２’は媒体１に記録された番組素材を再生し、映像信号や音声信号を出力する再生装置、例えば、ＶＴＲである。３は複数の番組素材が記録される番組サーバで、図示していない外部制御装置からの制御に応じて、番組素材が出力される。４は、番組サーバ３から出力された番組素材を入力し、その番組素材の映像信号や音声信号を所定の送出フォーマットに変換して、図示していない後段の放送ネットワーク・システムや伝送ネットワーク・システムに送出するための送出装置である。
【０００５】
再生装置２’で、登録される番組素材の音声信号レベルおよび映像信号レベルが所定のレベルに調節され、その調節された信号が番組サーバ３に入力されて収録される。そして、収録された番組素材は、収録されたときの信号レベルに応じて番組サーバ３から出力される。
【０００６】
なお、複数の番組素材ごとには、それらのレベル調整が独立に、すなわち、登録時期がかけ離れているなどのためレベル調整結果の信号レベルが対応されないで調整がなされることがあった。
【０００７】
【発明が解決しようとする課題】
上述の従来技術では、番組サーバ３から出力される音声信号や映像信号の信号レベルは、収録時に調整されたレベルで出力されてしまう。そのため、番組素材間では独立にレベル調整されている場合に、番組サーバ３から複数の番組素材が順次出力されるときに、ある番組素材の信号レベルが、その前後の番組素材の信号レベルと大きくレベル差が生じる恐れがあり、番組素材感で音声信号レベルがかけ離れていることから番組を視聴する視聴者に違和感を与える場合があった。
【０００８】
本発明の目的は、登録サーバから番組素材を出力するときに、送出されるときの送出順序が隣接する番組素材の信号レベルに応じて、自動的に送出信号レベルを調節可能とすることにある。
【０００９】
【課題を解決するための手段】
本発明は上述の課題を解決するために、番組素材を再生する再生装置と、前記再生装置により再生された番組素材の映像信号や音声信号を記録する番組サーバと、前記番組サーバから出力される映像信号や音声信号の信号レベルを調整する送出レベル調整装置と、前記再生装置で再生された映像信号や音声信号の信号レベル値を前記番組サーバに記録された番組素材に対応付けながら記録すると共に前記送出レベル調整装置を制御する制御信号を出力するレベル制御装置とを有し、前記送出レベル調整装置は、前記制御信号に応じて、前記登録サーバから出力される番組素材に対応して前記記録されたレベル値と、その番組素材に送出順序が隣接する他の番組素材のレベル値とを参照して、前記出力される番組素材の信号レベルを調節するものである。
【００１０】
【発明の実施の形態】
以下、図を用いて本発明の実施の形態を説明する。図１において、１は番組素材が記録された媒体、例えば、ＶＴＲテープである。２は媒体１に記録された番組素材を再生し、映像信号や音声信号を出力する再生装置、例えば、ＶＴＲである。３は複数の番組素材が記録される番組サーバで、図示していない外部制御装置からの制御に応じて、番組素材が出力される。
１４は送出レベル調整装置で、番組サーバ３から出力される番組素材の信号レベルを調整する。４は、送出レベル調整装置１４でレベル調整され出力された番組素材を入力し、その番組素材の映像信号や音声信号を所定の送出フォーマットに変換して、図示していない後段の放送ネットワーク・システムや伝送ネットワーク・システムに送出するための送出装置である。
【００１１】
１１は、レベル制御装置で、番組素材収録時に再生装置２で再生された番組素材の信号レベル、例えば、各映像信号や音声信号ごとの平均信号レベル値やピーク信号レベル値などを再生装置２から入力するか、または、再生装置２から入力した映像信号や音声信号に応じてそれらレベル値を生成し、該入力しあるいは生成したレベル値を、番組サーバに記録された番組素材の記録データに対応付けながら記録する。
【００１２】
さらに、レベル制御装置１１は、登録サーバ３から番組素材が出力される場合に、その番組素材に対応して記録されたレベル値と、その番組素材に送出順序が隣接する他の番組素材のレベル値とを参照して、その番組素材の信号レベルを調節するための制御信号を、送出レベル調整装置１４へ出力する。このとき、そのレベル調整用の制御信号は、調整される番組素材の信号レベルが、他の番組素材の調整された信号レベルに、より近づくように調整される。そうすることで、送出レベル調整装置１４から出力される番組素材の信号レベルは、隣接する番組素材どうしの信号レベル差が大きくならずに、より近いレベルとすることができる。
【００１３】
【発明の効果】
以上説明したように本発明によれば、登録するときの信号レベル値を記憶し、その記録された信号レベル値に応じて、送出される番組素材のレベルを、隣接する番組素材どうしの信号レベル差が大きくならずに、より近いレベルとなるよう調整することができる。
【図面の簡単な説明】
【図１】本発明の番組送出システムの一実施形態のブロック図。
【図２】従来の技術による番組送出システムのブロック図。
【符号の説明】
１：媒体、  ２，２’：再生装置、  ３：番組サーバ、  ４：送出装置、    １１：レベル制御装置、  １４：送出レベル調整装置。
【図１】
2004297159.tif 000003
【図２】
2004297159.tif 000004